【手続補正書】
【提出日】平成27年7月6日(2015.7.6)
【手続補正１】
【補正対象書類名】特許請求の範囲
【補正対象項目名】全文
【補正方法】変更
【補正の内容】
【特許請求の範囲】
【請求項１】
移動通信システムのソース基地局（ｓｏｕｒｃｅ  ｂａｓｅ  ｓｔａｔｉｏｎ）での信号の送受信方法において、
ターゲット基地局（ｔａｒｇｅｔ  ｂａｓｅ  ｓｔａｔｉｏｎ）から、前記ターゲット基地局が端末をサービング(ｓｅｒｖｉｎｇ)するローカルゲートウェー（ｌｏｃａｌ  ｇａｔｅｗａｙ、ＬＧＷ）と連結されているか否かに関連した情報を含む第１連結情報メッセージを受信する段階と、  
前記ターゲット基地局に前記端末のハンドオーバーを決定する段階と、
前記第１連結情報メッセージに基づいて、前記ターゲット基地局が前記端末をサービングするＬＧＷと連結されていない場合、前記端末をサービングするＬＧＷと関連したリソース（ｒｅｓｏｕｒｃｅ）を解除（ｒｅｌｅａｓｅ）する段階とを含む信号の送受信方法。  
【請求項２】
前記ソース基地局が連結されたローカルネットワークの情報、前記ソース基地局が連結されたローカルサブネットワークの情報、及び前記ソース基地局が連結されたユーザ平面ノード（ｕｓｅｒ  ｐｌａｎｅ  ｎｏｄｅ）の情報のうちの少なくとも１つを含む第２連結情報メッセージを前記ターゲット基地局に伝送する段階をさらに含むことを特徴とする、請求項１に記載の信号の送受信方法。  
【請求項３】
前記第１連結情報メッセージは、前記ターゲット基地局が連結されたローカルネットワークの情報、前記ターゲット基地局が連結されたローカルサブネットワークの情報、及び前記ターゲット基地局が連結されたユーザ平面ノード（ｕｓｅｒ  ｐｌａｎｅ  ｎｏｄｅ）の情報のうちの少なくとも１つをさらに含むことを特徴とする、請求項１に記載の信号の送受信方法。
【請求項４】
前記端末をサービングするＬＧＷの情報を含むメッセージを受信する段階と、
前記第１連結情報メッセージ及び端末をサービングするＬＧＷの情報に基づいて、前記ターゲット基地局が前記ＬＧＷと連結されているか否かを判断する段階とをさらに含むことを特徴とする、請求項１に記載の信号の送受信方法。  
【請求項５】
前記端末が前記ソース基地局とＳ１ハンドオーバーを介して初期接続を行った場合、ハンドオーバーリクエストメッセージ（ｈａｎｄｏｖｅｒ  ｒｅｑｕｅｓｔ  ｍｅｓｓａｇｅ）を受信する段階と、  
前記端末が前記ソース基地局とＸ２ハンドオーバーを介して初期接続を行った場合、経路切換リクエスト確認メッセージ（ｐａｔｈ  ｓｗｉｔｃｈ  ｒｅｑｕｅｓｔ  ａｃｋｎｏｗｌｅｄｇｅｍｅｎｔ  ｍｅｓｓａｇｅ）を受信する段階とをさらに含むことを特徴とする、請求項１に記載の信号の送受信方法。
【請求項６】
前記第１連結情報メッセージはＸ２設定リクエストメッセージ（Ｘ２  ｓｅｔｕｐ  ｒｅｑｕｅｓｔ  ｍｅｓｓａｇｅ）であり、前記第２連結情報メッセージはＸ２設定応答メッセージ（Ｘ２  ｓｅｔｕｐ  ｒｅｓｐｏｎｓｅ  ｍｅｓｓａｇｅ）であることを特徴とする、請求項２に記載の信号の送受信方法。  
【請求項７】
前記第１連結情報メッセージと関連した情報及び前記第２連結情報メッセージと関連した情報の少なくとも１つがアップデートされた場合、隣接の基地局に前記アップデートされた情報を通知する段階をさらに含むことを特徴とする、請求項２に記載の信号の送受信方法。  
【請求項８】
前記端末をサービングするＬＧＷと関連したリソースを解除する段階は、  
ローカルＩＰ接続（ｌｏｃａｌ  ＩＰ  ａｃｃｅｓｓ、ＬＩＰＡ）サービスの非活性化プロセスをトリガーする段階を含むことを特徴とする、請求項１に記載の信号の送受信方法。  
【請求項９】
前記端末をサービングするＬＧＷと関連したリソースを解除する段階は、  
前記ＬＧＷと関連した情報を含むメッセージをソース移動性管理エンティティ（ｓｏｕｒｃｅ  ｍｏｂｉｌｉｔｙ  ｍａｎａｇｅｍｅｎｔ  ｅｎｔｉｔｙ）に伝送する段階を含み、  
前記ソース移動性管理エンティティはローカルＩＰ接続（ｌｏｃａｌ  ＩＰ  ａｃｃｅｓｓ、ＬＩＰＡ）サービスの非活性化プロセスをトリガーすることを特徴とする、請求項１に記載の信号の送受信方法。  
【請求項１０】
前記端末をサービングするＬＧＷと関連したリソースを解除する段階は、  
前記の解除するリソースと関連した情報を前記ＬＧＷに伝送する段階を含み、  
ＬＧＷはローカルＩＰ接続（ｌｏｃａｌ  ＩＰ  ａｃｃｅｓｓ、ＬＩＰＡ）サービスの非活性化プロセスをトリガーすることを特徴とする、請求項１に記載の信号の送受信方法。
【請求項１１】
移動通信システムのソース基地局において、  
信号を送受信する送受信部と、
前記送受信部を制御し、
ターゲット基地局（ｔａｒｇｅｔ  ｂａｓｅ  ｓｔａｔｉｏｎ）から前記ターゲット基地局が端末をサービング(ｓｅｒｖｉｎｇ)するローカルゲートウェー（ｌｏｃａｌ  ｇａｔｅｗａｙ、ＬＧＷ）と連結されているか否かに関連した情報を含む第１連結情報メッセージを受信し、
前記ターゲット基地局に前記端末のハンドオーバーを決定し、
前記第１連結情報メッセージに基づいて、前記ターゲット基地局が前記端末をサービングするＬＧＷと連結されていない場合、前記端末をサービングするＬＧＷと関連したリソース（ｒｅｓｏｕｒｃｅ）を解除（ｒｅｌｅａｓｅ）する制御部とを含むソース基地局。
【請求項１２】
前記制御部は、  
前記ソース基地局が連結されたローカルネットワークの情報、前記ソース基地局が連結されたローカルサブネットワークの情報、及び前記ソース基地局が連結されたユーザ平面ノード（ｕｓｅｒ  ｐｌａｎｅ  ｎｏｄｅ）の情報のうちの少なくとも１つを含む第２連結情報メッセージを前記ターゲット基地局に伝送することを特徴とする、請求項１１に記載のソース基地局。
【請求項１３】
前記第１連結情報メッセージは、前記ターゲット基地局が連結されたローカルネットワークの情報、前記ターゲット基地局が連結されたローカルサブネットワークの情報、及び前記ターゲット基地局が連結されたユーザ平面ノード（ｕｓｅｒ  ｐｌａｎｅ  ｎｏｄｅ）の情報のうちの少なくとも１つをさらに含むことを特徴とする、請求項１１に記載のソース基地局。
【請求項１４】
前記制御部は、
前記端末をサービングするＬＧＷの情報を含むメッセージを受信し、
前記第１連結情報メッセージ及び端末をサービングするＬＧＷの情報に基づいて、前記ターゲット基地局が前記ＬＧＷと連結されているか否かを判断することを特徴とする、請求項１１に記載のソース基地局。
【請求項１５】
前記制御部は、  
前記端末が前記ソース基地局とＳ１ハンドオーバーを介して初期接続を行った場合、ハンドオーバーリクエストメッセージ（ｈａｎｄｏｖｅｒ  ｒｅｑｕｅｓｔ  ｍｅｓｓａｇｅ）を受信し、
前記端末が前記ソース基地局とＸ２ハンドオーバーを介して初期接続を行った場合、経路切換リクエスト確認メッセージ（ｐａｔｈ  ｓｗｉｔｃｈ  ｒｅｑｕｅｓｔ  ａｃｋｎｏｗｌｅｄｇｅｍｅｎｔ  ｍｅｓｓａｇｅ）を受信することを特徴とする、請求項１１に記載のソース基地局。
【請求項１６】
前記第１連結情報メッセージはＸ２設定リクエストメッセージ（Ｘ２  ｓｅｔｕｐ  ｒｅｑｕｅｓｔ  ｍｅｓｓａｇｅ）であり、前記第２連結情報メッセージはＸ２設定応答メッセージ（Ｘ２  ｓｅｔｕｐ  ｒｅｓｐｏｎｓｅ  ｍｅｓｓａｇｅ）であることを特徴とする、請求項１２に記載のソース基地局。
【請求項１７】
前記制御部は、  
前記第１連結情報メッセージと関連した情報及び前記第２連結情報メッセージと関連した情報の少なくとも１つがアップデートされた場合、隣接の基地局に前記アップデートされた情報を通知することを特徴とする、請求項１２に記載のソース基地局。
【請求項１８】
前記制御部は、  
ローカルＩＰ接続（ｌｏｃａｌ  ＩＰ  ａｃｃｅｓｓ、ＬＩＰＡ）サービスの非活性化プロセスをトリガーすることを特徴とする、請求項１１に記載のソース基地局。
【請求項１９】
前記制御部は、  
前記ＬＧＷと関連した情報を含むメッセージをソース移動性管理エンティティ（ｓｏｕｒｃｅ  ｍｏｂｉｌｉｔｙ  ｍａｎａｇｅｍｅｎｔ  ｅｎｔｉｔｙ）に伝送し、  
前記ソース移動性管理エンティティはローカルＩＰ接続（ｌｏｃａｌ  ＩＰ  ａｃｃｅｓｓ、ＬＩＰＡ）サービスの非活性化プロセスをトリガーすることを特徴とする、請求項１１に記載のソース基地局。
【請求項２０】
以上前記制御部は、  
前記の解除するリソースと関連した情報を前記ＬＧＷに伝送し、  
ＬＧＷはローカルＩＰ接続（ｌｏｃａｌ  ＩＰ  ａｃｃｅｓｓ、ＬＩＰＡ）サービスの非活性化プロセスをトリガーすることを特徴とする、請求項１１に記載のソース基地局。